(57)【要約】【課題】稚魚であるシラスを、大きさが揃った状態でかつ漁獲対象でない魚類の混入を少なくしながら効率良く漁獲でき、しかも、その際の消費電力を節約できるシラス漁獲方法を提供する。【解決手段】水中において４５０〜５４０ｎｍの波長領域に極大値を有する青色〜緑色のシラス蝟集用光を、１０〜５０Ｈｚの周波数で点滅させながら放射することを特徴とするシラス漁獲方法。【選択図】図３
2016192907.tif 000002
【特許請求の範囲】
【請求項１】
水中において４５０〜５４０ｎｍの波長領域に極大値を有する青色〜緑色のシラス蝟集用光を、１０〜５０Ｈｚの周波数で点滅させながら放射することを特徴とするシラス漁獲方法。
【請求項２】
前記シラス蝟集用光を放射する光源近傍に蝟集する又は周遊する魚群において、前記光源側に居り、かつ、成魚よりも稚魚の割合が大きい前記魚群を漁獲することを特徴とする請求項１に記載のシラス漁獲方法。
【請求項３】
漁獲対象であるシラスは、カタクチイワシの稚魚であることを特徴とする請求項１又は請求項２に記載のシラス漁獲方法。
【請求項４】
水中においてシラス蝟集用光を放射するＬＥＤ光源と、このＬＥＤ光源から放射される前記シラス蝟集用光の少なくとも周波数を制御可能な制御部と、を有し、
前記シラス蝟集用光は、４５０〜５４０ｎｍの波長領域に極大値を有する青色〜緑色であり、かつ、１０〜５０Ｈｚの周波数で点滅する、ことを特徴とするシラス漁獲用光源。
【請求項５】
漁獲対象であるシラスは、カタクチイワシの稚魚であることを特徴とする請求項４に記載のシラス漁獲用光源。
【発明の詳細な説明】
【技術分野】
【０００１】
本発明は、光源の近くにイワシの稚魚であるシラスを効率的に蝟集又は周遊させることのできるシラス漁獲方法およびシラス漁獲用光源に関する。
【背景技術】
【０００２】
一般に、カタクチイワシの稚魚であるシラスは、商品価値が高く、生の状態で、釜茹でにして、あるいは、乾物等の様々な形態で消費されている。また、このシラスは鮮度の低下が起こり易いため、水揚げされた後はなるべく早く出荷、あるいは、加工してやる必要があった。
また、シラスはそれ以外の魚類が混入しない状態で、かつ、大きさが揃っている方が高値で取引される。このため、水揚げされたシラスは、漁業関係者による選別作業を経て出荷されている。そして、この選別作業に要する時間が長くなるほど、出荷に要するコストが嵩み、シラスの鮮度も落ちてしまうため、漁獲時になるべく大きさの揃ったシラスを、シラス以外の魚類の混入を極力少なくしながら漁獲することが望まれていた。
従来、魚類が光に集まる性質を利用して夜間に集魚灯を用いて集魚する技術が知られている。この技術分野においてはＬＥＤの普及に伴い、所望の波長領域の光を水中において放射することが可能になった。
さらに、様々な研究の結果、集魚用の光源から放射される光波長を所望に設定することで所望の魚類を光源の周囲に蝟集又は周遊させることができることが明らかになりつつある。
このような事情に鑑み、本発明の発明者らは、大きさが揃ったシラスを、シラス以外の魚類の混入を極力少なくしながら漁獲する技術の開発に取り組んできた。
本発明と関連する技術分野の先行技術としては、例えば、特開２０００−１２５６９８号公報（特許文献１）、特開２００８−２８３９０６号公報（特許文献２）が知られている。
【０００３】
特許文献１の明細書段落０００７には、白色光よりも青色光又は青緑色光を照射した方が、シラス（マイワシやセグロイワシの幼魚）等の小魚が良く集まる傾向を見出したとの記載がある。
また、特許文献２には、水中において魚が忌避行動をとる周期で光を点滅させることで、魚群を所望に分割するという技術が開示されている。
【先行技術文献】
【特許文献】
【０００４】
【特許文献１】特開２０００−１２５６９８号公報
【特許文献２】特開２００８−２８３９０６号公報
【発明の概要】
【発明が解決しようとする課題】
【０００５】
本発明の発明者らの研究によると、青色光又は青緑色光は、確かに光源の近傍に稚魚であるシラスを蝟集又は周遊させる効果を有しているものの、シラスのみならずイワシの成魚も蝟集又は周遊させる効果を有していることが確認された。従って、特許文献１に開示される技術内容を参酌しただけでは、シラスだけを選択的に漁獲することはできなかった。
さらに、特許文献２に開示される技術内容によれば、魚群を所望に分割できると考えられるものの、例えば、イワシの成魚を選択的に集魚灯から忌避させることはできなかった。
【０００６】
本発明はかかる従来の事情に対処してなされたものであり、イワシの稚魚（シラス）を集魚用の光源の近傍に蝟集又は周遊させるとともに、イワシの成魚や目的外の魚類を集魚用の光源からより離れた位置に蝟集又は周遊させることのできるシラス漁獲方法およびそれに用いるシラス漁獲用光源を提供することにある。
【課題を解決するための手段】
【０００７】
上記目的を達成するため、第１の発明であるシラス漁獲方法は、水中において４５０〜５４０ｎｍの波長領域に極大値を有する青色〜緑色のシラス蝟集用光を、１０〜５０Ｈｚの周波数で点滅させながら放射することを特徴とするものである。
上記構成の第１の発明において、シラス蝟集用光として４５０〜５４０ｎｍの波長領域に極大値を有する青色〜緑色光を使用することで、主にイワシの稚魚及び成魚を光源の近傍に蝟集又は周遊させるという作用を有する。また、この時、シラス蝟集用光を１０〜５０Ｈｚの周波数で点滅させることで、稚魚であるシラスをより光源の近くに蝟集又は周遊させるとともに、イワシの成魚やイワシ以外の魚類には光源を忌避させるという作用を有する。
【０００８】
第２の発明であるシラス漁獲方法は、第１の発明であって、シラス蝟集用光を放射する光源近傍に蝟集する又は周遊する魚群において、光源側に居り、かつ、成魚よりも稚魚の割合が大きい魚群を漁獲することを特徴とするものである。
上記構成の第２の発明は、第１の発明と同じ作用に加えて、シラス蝟集用光を放射する光源近傍に蝟集する又は周遊する魚群において、光源側に居り、成魚よりも稚魚の割合が大きい魚群、を漁獲することで、漁獲物中にイワシの成魚や目的外の魚類（主にマアジ）が混入するのを極力少なくするという作用を有する。
この結果、水揚げ後に、イワシの成魚や目的外の魚類を、シラス中から取り除く選別作業に要する時間を短縮するという作用を有する。
【０００９】
第３の発明であるシラス漁獲方法は、第１又は第２の発明において、漁獲対象であるシラスは、カタクチイワシの稚魚であることを特徴とするものである。
上記構成の第３の発明は、第１又は第２の発明における漁獲対象を、カタクチイワシの稚魚（シラス）に特定したものであり、その作用は第１又は第２の発明と同じである。
【００１０】
第４の発明であるシラス漁獲用光源は、水中においてシラス蝟集用光を放射するＬＥＤ光源と、このＬＥＤ光源から放射されるシラス蝟集用光の少なくとも周波数を制御可能な制御部と、を有し、シラス蝟集用光は、４５０〜５４０ｎｍの波長領域に極大値を有する青色〜緑色であり、かつ、１０〜５０Ｈｚの周波数で点滅する、ことを特徴とするものである。
上記構成の第４の発明において、シラス蝟集用光を４５０〜５４０ｎｍの波長領域に極大値を有する青色〜緑色とすることで、主にイワシの稚魚及び成魚をその光源の近傍に蝟集又は周遊させるという作用を有する。
加えて、このようなシラス蝟集用光を、１０〜５０Ｈｚの周波数で点滅させることで、ＬＥＤ光源のより近くに稚魚であるシラスを蝟集又は周遊させるとともに、イワシの成魚やイワシ以外の魚類にはＬＥＤ光源を忌避させるという作用を有する。また、制御部はＬＥＤ光源から発せられるシラス蝟集用光の点滅に係る周波数を所望に制御するという作用を有する。
【００１１】
第５の発明であるシラス漁獲用光源は、第４の発明であって、漁獲対象であるシラスは、カタクチイワシの稚魚であることを特徴とするものである。
第５の発明は、第４の発明を用いる際の漁獲対象をカタクチイワシの稚魚（シラス）に特定したものであり、その作用は第４の発明と同じである。
【発明の効果】
【００１２】
第１，２の発明であるシラス漁獲方法によれば、光源より近くに稚魚であるシラスを、光源からより離れた位置にイワシの成魚やイワシ以外の魚類を蝟集又は周遊させることができる。つまり、光源からごく近い位置に蝟集又は周遊される魚類の大部分をシラスにすることができる。
このため、光源により近い位置に居る魚群（成魚よりもシラスの割合が多い魚群）を選択的に漁獲することで、シラスの大きさがより均一で、かつ、イワシの成魚やイワシ以外の魚類の混入が少ないシラスを得ることができる。
この場合、漁獲されたシラスから、イワシの成魚や目的外の魚類を取り除く選別作業に要する時間を大幅に節約できるので、より鮮度が高く、大きさが揃った高品質なシラスを出荷することができる。つまり、シラス漁における経済性を大幅に向上できる。
また、第１，２の発明によれば、シラスを水揚げする際に、イワシの成魚や目的外の魚類の混入を少なくできるので、シラス用の繊細な漁網がイワシの成魚や目的外の魚類によって損傷するリスクを小さくできる。これにより、漁網の交換やメンテナンスにかかる費用についても削減できる。
さらに、シラス蝟集用光が点滅光として水中に放射されることで、シラス蝟集用光を連続光として放射する場合に比べて、シラス蝟集用光放射時の消費電力量を削減できるというメリットも有する。これにより、集魚に要するエネルギー消費量を削減できるので、シラス漁にかかるコストも削減できるという効果も有する。
このように、第１，２の発明であるシラス漁獲方法によれば、少ないエネルギーで、高品質なシラスを容易に漁獲できるようになる。この結果、シラス漁の収益性を向上することができる。
【００１３】
第３の発明は、上述の第１，２の発明により漁獲されるシラスを、カタクチイワシの稚魚に特定したものであり、その効果は第１又は第２の発明による効果と同じである。
【００１４】
第４の発明は、上述の第１の発明を物の発明として特定したものである。
第４の発明によれば、大きさの揃ったシラスを、イワシの成魚やシラス以外の魚類の混入を極力少なくしながら、ＬＥＤ光源の近傍に蝟集又は周遊させることができるシラス漁獲用光源を提供することができる。
この場合、第４の発明に係るＬＥＤ光源の近傍に居る魚群を選択的に漁獲することで、大きさが揃っていて、イワシの成魚や目的外の魚類（主にマアジ）の混入が少ないシラスを得ることができる。
この結果、上述の第１又は第２の発明による効果と同じ効果が発揮される。
【００１５】
第５の発明は、上述の第４の発明によりその近傍に蝟集又は周遊するシラスを、カタクチイワシの稚魚に特定したものであり、その効果は第４の発明による効果と同じである。
【図面の簡単な説明】
【００１６】
【図１】本発明の実施の形態に係るシラス漁獲用光源の概念図である。
【図２】本発明の実施の形態に係るシラス漁獲用光源のシステム構成図である。
【図３】本発明の実施の形態に係るシラス漁獲方法を説明するための模式図である。
【図４】カタクチイワシの比視感度の測定結果を示すグラフである。
【図５】（ａ）光源から赤色光（ピーク波長：６３５ｎｍ）を発した場合のカタクチイワシとマアジの光源からの距離を示すグラフであり、（ｂ）光源から緑色光（ピーク波長：５２０ｎｍ）を発した場合のカタクチイワシとマアジの光源からの距離を示すグラフであり、（ｃ）光源から青色光（ピーク波長：４７０ｎｍ）を発した場合のカタクチイワシとマアジの光源からの距離を示すグラフである。
【図６】（ａ）光源から赤色光（ピーク波長：６３５ｎｍ），緑色光（ピーク波長：５２０ｎｍ），青色光（ピーク波長：４７０ｎｍ）のそれぞれを連続光として発した場合のカタクチイワシの光源からの距離の経時変化を示すグラフであり、（ｂ）光源から赤色光（ピーク波長：６３５ｎｍ），緑色光（ピーク波長：５２０ｎｍ），青色光（ピーク波長：４７０ｎｍ）のそれぞれを連続光として発した場合のカタクチイワシの遊泳速度の経時変化を示すグラフである。
【図７】（ａ）光源から緑色光（ピーク波長：５２０ｎｍ）を周波数を変えて照射した場合のカタクチイワシの光源からの距離の経時変化を示すグラフであり、（ｂ）光源から緑色光（ピーク波長：５２０ｎｍ）を周波数を変えて照射した場合のカタクチイワシの遊泳速度の経時変化を示すグラフである。
【図８】（ａ）マアジを遊泳させた状態で青緑色光（ピーク波長：５００ｎｍ）及び青色光と黄色光を混合してなる白色光（青色光：４７０ｎｍ，黄色光：５７０ｎｍ）を３０分間連続照射した後、周波数をそれぞれ１.３Ｈｚ，１０Ｈｚ，５５Ｈｚに設定した点滅光（断続光）を２０分間照射した際の各時点におけるマアジの光源からの距離を示すグラフである。（ｂ）カタクチイワシを遊泳させた状態で青緑色光（ピーク波長：５００ｎｍ）及び青色光と黄色光を混合してなる白色光（青色光：４７０ｎｍ，黄色光：５７０ｎｍ）を３０分間連続照射した後、周波数をそれぞれ１.３Ｈｚ，１０Ｈｚ，５５Ｈｚに設定した点滅光（断続光）を２０分間照射した際の各時点におけるカタクチイワシの光源からの距離を示すグラフである。
【発明を実施するための形態】
【００１７】
以下に、本発明の実施の形態に係るシラス漁獲用光源およびそれを用いたシラス漁獲方法について図１乃至図３を参照しながら説明する。
【００１８】
はじめに、図１，２を参照しながら本実施の形態に係るシラス漁獲用光源１について詳細に説明する。
本実施の形態に係るシラス漁獲用光源１は、例えば、図１に示すように、水密な筐体からなる本体部２の下端に透明な材質からなる筒状のケーシング３が水密に接続され、このケーシング３内に多数のＬＥＤ光源５を支持する基板４が水密に収容されてなるものである。
また、本体部２には電力等供給ライン６が接続されており、この電力等供給ライン６を通じて基板４に、ＬＥＤ光源５を発光させるための電力が供給される。
なお、ケーシング３の周方向にＬＥＤ光源５からの光を放射できるよう、ケーシング３内に、ＬＥＤ光源５を搭載した基板４を多角筒状に配した状態で収納してもよい。もちろん、可能であれば、基板４を円筒状に形成してもよい。
また、本実施の形態に係るシラス漁獲用光源１では、ＬＥＤ光源５から発せられるシラス蝟集用光は点滅光である。このため、本実施の形態に係るシラス漁獲用光源１において、ＬＥＤ光源５を点滅させる際の周波数を制御するための制御部１１（後段における図２を参照）を本体部２内に格納しておいてもよい。
【００１９】
次に、このようなシラス漁獲用光源１においてＬＥＤ光源５を発光させる仕組みについて図２を参照しながら詳細に説明する。
本実施の形態に係るシラス漁獲用光源１では、ＬＥＤ光源５を支持する基板４に制御部１１が接続され、さらに、この制御部１１及び基板４に電力を供給するための電源１２が接続されている。
このように、本実施の形態に係るシラス漁獲用光源１では、制御部１１を備えることで、基板４に指示されるＬＥＤ光源５を点滅させながら発光させる際の周波数を所望に制御できる。
なお、本実施の形態に係るシラス漁獲用光源１では、先の図１に示す本体部２の内部に制御部１１を備えても良いし、本体部２やＬＥＤ光源５を支持する基板４から離れた別の位置（例えば、漁船）に制御部１１を設けておき、電力等供給ライン６とともに制御部１１からの制御信号を送信するラインを別途設けて、ＬＥＤ光源５を点滅させる際の周波数を所望に制御可能に構成してもよい。
また、特に図示しないが、制御部１１に加えて入力操作部やメモリを別途備えることで、制御部１１から発せられる制御信号を現場で所望に変更可能に構成してもよい。
【００２０】
なお、本実施の形態に係るシラス漁獲用光源１は、図１，２に示される形態に特定される必要はなく、目的とする機能を発揮するよう構成されるものであれば、どのような形態でもよい。なお、ここではＬＥＤ光源５の集合体を総称して光源１４と呼ぶことにする。
さらに、本実施の形態に係るシラス漁獲用光源１では、ＬＥＤ光源５により光源１４を構成する場合を例に挙げて説明しているが、以下に示すような波長及び周波数を実現できるのであれば、ＬＥＤ光源５以外の光源、例えば、ハロゲンライト等を使用してもよい。
また、本実施の形態に係るシラス漁獲用光源１においてＬＥＤ光源５を用いる場合は、光源１４の発光に必要な消費電力を少なくでき、しかも、光源１４を長寿命化できるというメリットがある。
加えて、ＬＥＤ光源５から放射されるシラス蝟集用光を効率良くシラス漁獲用光源１の外に放射できるよう、個々のＬＥＤ光源５は反射材を備えていてもよい。あるいは、基板４においてＬＥＤ光源５が設けられる側の表面に反射層を形成しておいてもよい。
この場合、ＬＥＤ光源５から発せられる光を効率良く集魚に利用できるので、集魚時の消費エネルギーを一層節約できる。
【００２１】
さらに、本実施の形態に係るシラス漁獲用光源１では、ＬＥＤ光源５から放射される光（シラス蝟集用光）は、４５０〜５４０ｎｍの波長領域に極大値を有する青色〜緑色であり、かつ、周波数が１０〜５０Ｈｚの範囲内に設定される点滅光である。
このように、本実施の形態に係るシラス漁獲用光源１において光源１４から放射されるシラス蝟集用光を、４５０〜５４０ｎｍの波長領域に極大値を有する青色〜緑色とすることで、シラス及びその成魚であるイワシ（特に、カタクチイワシ）に対して感応性の高い光にすることができる。このため、水中において４５０〜５４０ｎｍの波長領域に極大値を有する青色〜緑色光を発光させることで、シラス及びその成魚であるイワシを光源１４の近くに集めることができる。
また、後述するようにマアジについては忌避行動させることができる。
【００２２】
さらに、本実施の形態に係るシラス漁獲用光源１では、ＬＥＤ光源５から放射されるシラス蝟集用光を、周波数が１０〜５０Ｈｚの範囲内に設定された点滅光とすることで、光源１４近傍に集まってきたイワシの成魚及びイワシ以外の魚類（特にマアジ）に、光源１４を忌避させることができる。
この結果、光源１４近傍に主にシラスを蝟集又は周遊させるとともに、イワシの成魚や目的外の魚類には光源１４を忌避させることができる。
本発明の発明者らは鋭意研究の結果、イワシ（特に、カタクチイワシ）は、目の組織が未発達な状態では、すなわち、稚魚（シラス）の段階では、「点滅光」にも関わらず、忌避行動を示すことなく光源１４近くに集まってくることを見出した。
その一方で、目の組織が十分に発達した成魚（主にイワシ、マアジ）は、光源１４から点滅光が放射されると、光源を忌避して光源のごく近くには寄ってこないことを見出した。
このため、本実施の形態に係るシラス漁獲用光源１においては、水中においてイワシ（特に、カタクチイワシ）が感受できる４５０〜５４０ｎｍの波長領域に極大値を有する青色〜緑色を、その周波数を１０〜５０Ｈｚの範囲内に設定して点滅させることで、光源１４のより近くにはシラスを、光源１４からより離れた位置にイワシ（特に、カタクチイワシ）の成魚や目的外の魚類（主に、マアジ）を蝟集又は周遊させることが可能になる。
つまり、本実施の形態に係るシラス漁獲用光源１によれば、１つの光源を利用して、目的とする魚の蝟集又は周遊効果と、目的外の魚の忌避効果を同時に発揮させることができるのである。
【００２３】
ここで図３を参照しながら、本発明の実施の形態に係るシラス漁獲方法について詳細に説明する。
図３は本発明の実施の形態に係るシラス漁獲方法を説明するための模式図である。なお、図１，２に記載されたものと同一部分については同一符号を付し、その構成についての説明は省略する。
図３に示すように、本実施の形態に係るシラス漁獲方法は、例えば、漁船７から電力等供給ライン６に接続されるシラス漁獲用光源１（先の図１，２を参照）を光源１４として水中に水没させてから、４５０〜５４０ｎｍの波長領域に極大値を有する青色〜緑色からなり、かつ、その周波数が１０〜５０Ｈｚの範囲内に設定されてなる点滅光をシラス蝟集用光として放射するというものである。
そして、この状態のまましばらく放置すると、図３に示すように、水中に配される光源１４の近傍にシラス８（特に、カタクチイワシの稚魚）が、そして、それよりも離れた位置にはイワシ（特に、カタクチイワシ）の成魚１０や目的外の魚類９（主に、マアジ）が蝟集又は周遊する。
次いで、光源１４の周囲に集まった魚群において、光源１４側に居り、かつ、成魚よりも稚魚の割合が大きい魚群を漁網１３ですくい上げることで、漁獲される魚群におけるシラスの割合を大幅に高めることができる。
【００２４】
しかしながら、光源１４から上述のようなシラス蝟集用光（点滅光）を放射しても、イワシの成魚が光源１４の近傍に近づく場合もある。この原因としては、４５０〜５４０ｎｍの波長領域に極大値を有する青色〜緑色に対する感応性が低い個体がいる、あるいは、目の組織の未発達な成魚がいる等が考えられる。
従って、本実施の形態に係るシラス漁獲用光源１を用いても、あるいは、本実施の形態に係るシラス漁獲方法によっても、漁獲される魚群の全てをシラスのみにすることはできない。
しかしながら、上述のような本実施の形態に係るシラス漁獲用光源１を用いることで、あるいは、本実施の形態に係るシラス漁獲方法によれば、水揚げされたシラスの大きさをより均一化しつつ、イワシの成魚や目的外の魚類の混入を大幅に少なくできる。
この場合、水揚されたシラスを大きさ別に選別する作業や、得られたシラスから目的外の魚類を取り除く作業を大幅に削減できるので、より鮮度が高く、大きさの揃った高付加価値なシラスを容易に出荷することができる。この結果、漁業者側の収益性を向上できる。
【００２５】
また、光源１４（シラス漁獲用光源１）から放射されるシラス蝟集用光は点滅光であるため、連続光を用いる場合に比べてその消費電力を少なくできる。このため、シラス漁を行う際の経費を削減できる。従って、漁業者側の収益性を一層向上できる。
【００２６】
さらに、本実施の形態では、体長４０ｍｍまでのカタクチイワシの稚魚を主な漁獲対象であるシラスとしており、それよりも大きいものは選別作業により除外している。
なお、ここでは本実施の形態に係るシラス漁獲用光源１及びシラス漁獲方法の適用対象をカタクチイワシとしているが、カタクチイワシ以外の魚類にも本願発明を適用できる可能性がある。従って、本実施の形態に係るシラス漁獲用光源１及びシラス漁獲方法の適用対象は、必ずしもカタクチイワシに限定されるものではない。
【００２７】
続いて、本実施の形態に係るシラス漁獲用光源１及びシラス漁獲方法による作用、効果を裏付けるための試験結果について図４乃至図８を参照しながら説明する。
（１）カタクチイワシが感応する光の波長領域について
本発明の発明者らは、漁獲対象であるカタクチイワシが感応する波長領域を明らかにするために、その比視感度の測定を行った。なお、比視感度（Luminosity  function,  or  Photopic  luminous  efficiency  function）とは、目が光の各波長ごとの明るさを感じる強さを数値で表したものである。また、この試験にはカタクチイワシの成魚を供試した。
図４はカタクチイワシの比視感度の測定結果を示すグラフである。なお、図４に示すグラフの縦軸は比視感度Ｖ（λ）であり、横軸は光の波長（ｎｍ）である。
図４に示すように、カタクチイワシは、４７０〜５４０ｎｍの波長領域にピークを有する光の感度が高いことが明らかになった。
【００２８】
（２）光の波長と集魚効果について
本発明の発明者らは、光源から発せられる光の色を、赤（ピーク波長：６３５ｎｍ）、緑（ピーク波長：５２０ｎｍ）、青（ピーク波長：４７０ｎｍ）のそれぞれに変えた場合のカタクチイワシとマアジの集魚効果の違いを調査した。なお、この試験において使用する光は全て連続光とした。さらに、この試験にはカタクチイワシとマアジの成魚を供試した。
図５（ａ）は光源から赤色光（ピーク波長：６３５ｎｍ）を発した場合のカタクチイワシとマアジの光源からの距離を示すグラフであり、（ｂ）は光源から緑色光（ピーク波長：５２０ｎｍ）を発した場合のカタクチイワシとマアジの光源からの距離を示すグラフであり、（ｃ）は光源から青色光（ピーク波長：４７０ｎｍ）を発した場合のカタクチイワシとマアジの光源からの距離を示すグラフである。なお、図５に結果を示す試験は、水槽内にて行い、半径２ｍの水槽の中央の水中に光源を設置して行った。
図５（ａ）に示すように、光源から赤色光（ピーク波長：６３５ｎｍ）を発した場合、カタクチイワシは感応せず水槽内をばらばらに遊泳した。また、図５（ｂ）に示すように、光源から緑色光（ピーク波長：５２０ｎｍ）を発した場合、カタクチイワシ、マアジはともに光源の周囲を周遊した。ただし、カタクチイワシの方がより光源近くを周遊する傾向が認められた。さらに、図５（ｃ）に示すように、光源から青色光（ピーク波長：４７０ｎｍ）を発した場合、マアジは忌避したため測定データは得られなかった。他方、カタクチイワシは光源近傍に集魚した。
【００２９】
図６（ａ）は光源から赤色光（ピーク波長：６３５ｎｍ），緑色光（ピーク波長：５２０ｎｍ），青色光（ピーク波長：４７０ｎｍ）のそれぞれを連続光として発した場合のカタクチイワシの光源からの距離の経時変化を示すグラフであり、（ｂ）は光源から赤色光（ピーク波長：６３５ｎｍ），緑色光（ピーク波長：５２０ｎｍ），青色光（ピーク波長：４７０ｎｍ）のそれぞれを連続光として発した場合のカタクチイワシの遊泳速度の経時変化を示すグラフである。なお、図６に結果を示す試験は、水槽内にて行い、半径２ｍの水槽の中央の水中に光源を設置して行った。さらに、この試験ではカタクチイワシの成魚を供試した。
図６（ａ），（ｂ）に示すように、光源から緑色光（ピーク波長：５２０ｎｍ）及び青色光（ピーク波長：４７０ｎｍ）が連続光として放射される場合は、継続して集魚効果が発揮された。この場合、カタクチイワシは、光源から０.５〜１.５ｍの範囲に蝟集又は周遊していた。他方、光源から赤色光（ピーク波長：６３５ｎｍ）が連続光として放射される場合は、カタクチイワシの集魚効果が発揮されなかった。
よって、少なくとも青色〜緑色光（４７０〜５２０ｎｍ）が、カタクチイワシの集魚効果を有することが確認された。
【００３０】
（３）光源から周波数の異なる点滅光を放射した場合の挙動について
本発明の発明者らは、光源から発せられる光の周波数が異なる場合のカタクチイワシの行動を調査した。
図７（ａ）は光源から緑色光（ピーク波長：５２０ｎｍ）を周波数を変えて照射した場合のカタクチイワシの光源からの距離の経時変化を示すグラフであり、（ｂ）は光源から緑色光（ピーク波長：５２０ｎｍ）を周波数を変えて照射した場合のカタクチイワシの遊泳速度の経時変化を示すグラフである。なお、図７に結果を示す試験は、水槽内にて行い、半径２ｍの水槽の中央の水中に光源を設置して行った。また、試験にはカタクチイワシの成魚を供試した。
図７（ａ）に示すように、光源から発せられる緑色光（ピーク波長：５２０ｎｍ）の周波数を、１００Ｈｚ，２０Ｈｚ，１０Ｈｚ，０.５Ｈｚのそれぞれに設定した場合、周波数が１００Ｈｚ，２０Ｈｚ，１０Ｈｚの時は、カタクチイワシは集群する傾向を示した。他方、周波数を０.５Ｈｚにした場合、カタクチイワシは集群しなかった。
また、図７（ｂ）に示すように、光源から発せられる緑色光（ピーク波長：５２０ｎｍ）の周波数が１０Ｈｚよりも低い場合は、カタクチイワシの遊泳速度が大きくなる傾向が認められた。
よって、光源から放射される光が点滅光（ただし、その周波数は１０Ｈｚ以上）である場合も、カタクチイワシの集魚効果は発揮されると考えられる。
【００３１】
（４）点滅光がマアジとカタクチイワシに及ぼす影響について
本発明の発明者らは、点滅光がマアジとカタクチイワシに及ぼす影響について調査した。
より具体的には、半径２ｍの円筒状の水槽の中央の水中に青緑色光（ピーク波長：５００ｎｍ）及び青色光と黄色光を混合してなる白色光（青色光：４７０ｎｍ，黄色光：５７０ｎｍ）を放射する光源を設置し、マアジ，カタクチイワシをそれぞれで単独で遊泳させ、０分から３０分までは連続光を点灯し、その後３０分から５０分までは周波数をそれぞれ１.３Ｈｚ，１０Ｈｚ，５５Ｈｚに設定した点滅光（断続光）を照射して、マアジとカタクチイワシの対光行動を観察した。
図８（ａ）はマアジを遊泳させた状態で青緑色光（ピーク波長：５００ｎｍ）及び青色光と黄色光を混合してなる白色光（青色光：４７０ｎｍ，黄色光：５７０ｎｍ）を３０分間連続照射した後、周波数をそれぞれ１.３Ｈｚ，１０Ｈｚ，５５Ｈｚに設定した点滅光（断続光）を２０分間照射した際の各時点におけるマアジの光源からの距離を示すグラフである。（ｂ）はカタクチイワシを遊泳させた状態で青緑色光（ピーク波長：５００ｎｍ）及び青色光と黄色光を混合してなる白色光（青色光：４７０ｎｍ，黄色光：５７０ｎｍ）を３０分間連続照射した後、周波数をそれぞれ１.３Ｈｚ，１０Ｈｚ，５５Ｈｚに設定した点滅光（断続光）を２０分間照射した際の各時点におけるカタクチイワシの光源からの距離を示すグラフである。
図８（ａ）に示すように、マアジの場合、点滅光（断続光）１.３Ｈｚの場合、光源からの距離は、切替え直後で約１３０ｃｍまで離れ、２５−７５％の幅は約７０ｃｍに広がった。これに対し、１０Ｈｚの場合は切替え直後に約１６０ｃｍまで離れ、２５−７５％の幅は約２０ｃｍと狭くなった。一方、５５Ｈｚの場合は切替え後もほぼ対光行動に変化が無かった。以上のことから、点滅光（断続光）５５Ｈｚに対して忌避行動が生じなかったと考えられる。一方、１.３Ｈｚ，１０Ｈｚではいずれも光源から離れたことから忌避行動を示したと考えられるが、１.３Ｈｚに比べて、１０Ｈｚではスムーズに魚群全体が壁面付近を遊泳し始めたことから、より忌避効果が強かったと考えられる。
図８（ｂ）に示すように、カタクチイワシの場合、１.３Ｈｚの場合、その直後の遊泳速度は直前の値の８分の５と遅くなり、警戒している状態であったと推察される。光源からの距離については切替え直前とほとんど変わりが無く、断続光終了までほぼ同じ位置を遊泳していた。一方、１０Ｈｚ,５５Ｈｚでは、切替え直後は遊泳速度、光源からの距離については，いずれも中央値にほとんど変化が見られなかった。時間の経過に伴い光源からの距離は、接近していく様子が観察された。
なお、データの解析は画像解析ソフトを用いて、１秒間ごとにマアジ、カタクチイワシそれぞれの５個体の光源からの位置を計測して算出した。
【産業上の利用可能性】
【００３２】
以上説明したように、本発明は稚魚であるシラスを、大きさが揃った状態でかつ漁獲対象でない魚類の混入を少なくしながら効率良く漁獲でき、しかも、その際の消費電力を節約できるシラス漁獲方法およびそれに用いるシラス漁獲用光源であり、漁業や海洋資源の研究、開発、保護等に関する分野において利用可能である。
【符号の説明】
【００３３】
１…シラス漁獲用光源  ２…本体部  ３…ケーシング  ４…基板  ５…ＬＥＤ光源  ６…電力等供給ライン  ７…漁船  ８…シラス（イワシの稚魚）  ９…マアジ  １０…カタクチイワシ（イワシの成魚）  １１…制御部  １２…電源  １３…漁網  １４…光源
【図１】
2016192907.tif 000003
【図２】
2016192907.tif 000004
【図３】
2016192907.tif 000005
【図４】
2016192907.tif 000006
【図５】
2016192907.tif 000007
【図６】
2016192907.tif 000008
【図７】
2016192907.tif 000009
【図８】
2016192907.tif 000010